(57)【要約】      （修正有）【課題】電解液を注液する際に、当該電解液の電極体への浸透性を向上させることができる蓄電素子を提供する。【解決手段】正極端子２００及び負極端子３００と、正極及び負極を有する電極体と、電極体が収容される容器とを備える蓄電素子であって、電極体と容器との間には絶縁性のシート４００が配置される。絶縁性のシートは、電極体の正極側端部１４０ａと容器の正極端子側の面との間に配置される正極側シートと、電極体の負極側端部１４０ｂと容器の負極端子側の面との間に配置される負極側シートとを備え、正極側シート及び負極側シートの少なくとも一方には、電解液の通路４３４が形成されている。【選択図】図７
2015069723.tif 000002
【特許請求の範囲】
【請求項１】
正極端子及び負極端子と、正極及び負極を有する電極体と、前記電極体が収容される容器とを備える蓄電素子であって、
前記電極体の前記正極側の端部と、前記容器の前記正極端子側の面との間に配置される絶縁性のシートである正極側シートと、
前記電極体の前記負極側の端部と、前記容器の前記負極端子側の面との間に配置される絶縁性のシートである負極側シートとを備え、
前記正極側シート及び前記負極側シートの少なくとも一方には、電解液の通路が形成されている
蓄電素子。
【請求項２】
前記正極側シート及び前記負極側シートのうちのいずれか一方は、他方よりも短くなるように形成され、
前記通路は、前記正極側シート及び前記負極側シートのいずれか一方が短くなることで形成される空間である
請求項１に記載の蓄電素子。
【請求項３】
前記正極側シート及び前記負極側シートのうちのいずれか一方は、前記電極体の正極側または負極側の端部が露出するように、他方よりも短く形成されており、
前記他方は、前記電極体の正極側または負極側の端部を覆うように形成されている
請求項２に記載の蓄電素子。
【請求項４】
前記正極側シート及び前記負極側シートの少なくとも一方には、貫通孔が形成されており、
前記通路は、前記貫通孔の内方に形成される空間である
請求項１〜３のいずれか１項に記載の蓄電素子。
【請求項５】
前記正極側シート及び前記負極側シートの少なくとも一方は、前記貫通孔を閉塞可能な閉塞部を有する
請求項４に記載の蓄電素子。
【請求項６】
前記貫通孔及び前記閉塞部は、前記正極側シート及び前記負極側シートの少なくとも一方を切り込むことで形成される
請求項５に記載の蓄電素子。
【請求項７】
前記正極側シート及び前記負極側シートのうちの少なくとも一方には、折り目が形成されており、
前記通路は、前記折り目によって形成される空間である
請求項１〜６のいずれか１項に記載の蓄電素子。
【請求項８】
前記正極側シートは、前記電極体の前記正極側の端部と前記容器の前記正極端子側の面との間に配置される二枚の絶縁性のシートのうちの少なくとも１つのシートであり、
前記負極側シートは、前記電極体の前記負極側の端部と前記容器の前記負極端子側の面との間に配置される二枚の絶縁性のシートのうちの少なくとも１つのシートである
請求項１〜７のいずれか１項に記載の蓄電素子。
【発明の詳細な説明】
【技術分野】
【０００１】
本発明は、電極端子と、電極体と、電極体が収容される容器とを備える蓄電素子に関する。
【背景技術】
【０００２】
世界的な環境問題への取り組みとして、ガソリン自動車から電気自動車への転換が重要になってきている。このため、リチウムイオン二次電池などの蓄電素子を動力源に用いた電気自動車の開発が進められている。そして、このような蓄電素子においては、一般的に、正極と負極とを有する電極体と、当該電極体が収容される金属製の容器とを備えている。
【０００３】
ここで、当該蓄電素子において、電極体と容器とが導通しないように、電極体と容器との間の絶縁性を確保する必要がある。このため、従来、電極体と容器との間の絶縁性を確保するために、電極体と容器との間に絶縁シートを配置した蓄電素子が提案されている（例えば、特許文献１参照）。
【先行技術文献】
【特許文献】
【０００４】
【特許文献１】特開２０１２−４３５６４号公報
【発明の概要】
【発明が解決しようとする課題】
【０００５】
しかしながら、上記従来の蓄電素子では、電解液を注液する際に、当該電解液の電極体への浸透性が悪くなるという問題がある。つまり、上記従来の蓄電素子においては、電極体と容器との間に絶縁シートを配置しているため、電解液を注液する際に、絶縁シートが邪魔になって当該電解液の電極体への浸透性が悪くなる。
【０００６】
本発明は、上記問題を解決するためになされたものであり、電解液を注液する際に、当該電解液の電極体への浸透性を向上させることができる蓄電素子を提供することを目的とする。
【課題を解決するための手段】
【０００７】
上記目的を達成するために、本発明の一態様に係る蓄電素子は、正極端子及び負極端子と、正極及び負極を有する電極体と、前記電極体が収容される容器とを備える蓄電素子であって、前記電極体の前記正極側の端部と、前記容器の前記正極端子側の面との間に配置される絶縁性のシートである正極側シートと、前記電極体の前記負極側の端部と、前記容器の前記負極端子側の面との間に配置される絶縁性のシートである負極側シートとを備え、前記正極側シート及び前記負極側シートの少なくとも一方には、電解液の通路が形成されている。
【０００８】
これによれば、蓄電素子は、正極側シート及び負極側シートの少なくとも一方に、電解液の通路が形成されている。このため、当該蓄電素子によれば、電解液を注液する際に、電解液が当該通路を通って電極体へ浸透することで、当該電解液の電極体への浸透性を向上させることができる。
【０００９】
また、前記正極側シート及び前記負極側シートのうちのいずれか一方は、他方よりも短くなるように形成され、前記通路は、前記正極側シート及び前記負極側シートのいずれか一方が短くなることで形成される空間であることにしてもよい。
【００１０】
これによれば、蓄電素子に形成された電解液の通路は、正極側シート及び負極側シートのいずれか一方が短くなることで形成された空間である。このため、当該蓄電素子によれば、片方の絶縁シートの長さを短くすることで、容易に、電解液の通路を形成して、当該電解液の電極体への浸透性を向上させることができる。
【００１１】
また、前記正極側シート及び前記負極側シートのうちのいずれか一方は、前記電極体の正極側または負極側の端部が露出するように、他方よりも短く形成されており、前記他方は、前記電極体の正極側または負極側の端部を覆うように形成されていることにしてもよい。
【００１２】
これによれば、蓄電素子に形成された電解液の通路は、正極側シート及び負極側シートのうちのいずれか一方の、電極体の正極または負極が露出するように形成された空間である。つまり、電極体の正極または負極が露出する部分を通って、電解液を電極体へ浸透させることができる。また、他方の絶縁シートは、電極体の正極または負極を覆うように形成されているため、絶縁性を確保することができる。
【００１３】
また、前記正極側シート及び前記負極側シートの少なくとも一方には、貫通孔が形成されており、前記通路は、前記貫通孔の内方に形成される空間であることにしてもよい。
【００１４】
これによれば、蓄電素子に形成された電解液の通路は、正極側シート及び負極側シートの少なくとも一方に形成された貫通孔内方の空間である。このため、当該蓄電素子によれば、絶縁シートに貫通孔を形成することで、容易に、電解液の通路を形成して、当該電解液の電極体への浸透性を向上させることができる。
【００１５】
また、前記正極側シート及び前記負極側シートの少なくとも一方は、前記貫通孔を閉塞可能な閉塞部を有することにしてもよい。
【００１６】
これによれば、蓄電素子は、電解液の通路としての貫通孔を閉塞可能な閉塞部を有している。このため、絶縁シートに貫通孔が形成されていても、閉塞部によって貫通孔を塞ぐことができるため、絶縁性を確保することができる。
【００１７】
また、前記貫通孔及び前記閉塞部は、前記正極側シート及び前記負極側シートの少なくとも一方を切り込むことで形成されることにしてもよい。
【００１８】
これによれば、正極側シート及び負極側シートの少なくとも一方を切り込むことで、貫通孔及び閉塞部が形成される。このため、電解液の通路である貫通孔と、絶縁性を確保するための閉塞部とを、容易に形成することができる。
【００１９】
また、前記正極側シート及び前記負極側シートのうちの少なくとも一方には、折り目が形成されており、前記通路は、前記折り目によって形成される空間であることにしてもよい。
【００２０】
これによれば、蓄電素子に形成された電解液の通路は、正極側シート及び負極側シートのうちの少なくとも一方の折り目によって形成された空間である。このため、当該蓄電素子によれば、絶縁シートに折り目を形成することで、容易に、電解液の通路を形成して、当該電解液の電極体への浸透性を向上させることができる。
【００２１】
また、前記正極側シートは、前記電極体の前記正極側の端部と前記容器の前記正極端子側の面との間に配置される二枚の絶縁性のシートのうちの少なくとも１つのシートであり、前記負極側シートは、前記電極体の前記負極側の端部と前記容器の前記負極端子側の面との間に配置される二枚の絶縁性のシートのうちの少なくとも１つのシートであることにしてもよい。
【００２２】
これによれば、正極側に二枚の絶縁性のシートが配置され、負極側にも二枚の絶縁性のシートが配置されている。このため、いずれかのシートに電解液の通路が形成されていても、二重の絶縁性のシートが配置されているため、絶縁性を確保することができる。
【００２３】
なお、本発明は、このような蓄電素子として実現することができるだけでなく、蓄電素子が備える絶縁性のシートとしても実現することができる。
【発明の効果】
【００２４】
本発明における蓄電素子によれば、電解液を注液する際に、当該電解液の電極体への浸透性を向上させることができる。
【図面の簡単な説明】
【００２５】
【図１】本発明の実施の形態に係る蓄電素子の外観を模式的に示す斜視図である。
【図２】本発明の実施の形態に係る蓄電素子を分解した場合の各構成要素を示す分解斜視図である。
【図３】本発明の実施の形態に係る電極体の外観を示す斜視図である。
【図４】本発明の実施の形態に係る第一絶縁シートの構成を示す斜視図である。
【図５】本発明の実施の形態に係る第二絶縁シートの構成を示す斜視図である。
【図６】本発明の実施の形態に係る第一絶縁シート及び第二絶縁シートの蓄電素子内部における配置位置を示す平面図である。
【図７】本発明の実施の形態に係る第一絶縁シートの蓄電素子内部における配置位置を示す平面図である。
【図８】本発明の実施の形態に係る第二絶縁シートの蓄電素子内部における配置位置を示す平面図である。
【図９】本発明の実施の形態の変形例１に係る第一絶縁シートの構成を示す斜視図である。
【図１０】本発明の実施の形態の変形例２に係る第一絶縁シートの構成を示す斜視図である。
【図１１】本発明の実施の形態の変形例３に係る第一絶縁シートの構成を示す斜視図である。
【図１２】本発明の実施の形態の変形例４に係る第一絶縁シートの構成を示す斜視図である。
【図１３】本発明の実施の形態の変形例５に係る第二負極側シートの構成を示す斜視図である。
【図１４Ａ】本発明の実施の形態の変形例５に係る第二負極側シートの構成を示す斜視図である。
【図１４Ｂ】本発明の実施の形態の変形例５に係る第二負極側シートの構成を示す斜視図である。
【発明を実施するための形態】
【００２６】
以下、図面を参照しながら、本発明の実施の形態に係る蓄電素子について説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００２７】
（実施の形態）
まず、蓄電素子１０の構成について、説明する。
【００２８】
図１は、本発明の実施の形態に係る蓄電素子１０の外観を模式的に示す斜視図である。また、図２は、本発明の実施の形態に係る蓄電素子１０を分解した場合の各構成要素を示す分解斜視図である。また、図３は、本発明の実施の形態に係る電極体の外観を示す斜視図である。
【００２９】
蓄電素子１０は、電気を充電し、また、電気を放電することのできる二次電池であり、より具体的には、リチウムイオン二次電池などの非水電解質二次電池である。例えば、蓄電素子１０は、電気自動車（ＥＶ）、プラグインハイブリッド電気自動車（ＰＨＥＶ）、ハイブリッド電気自動車（ＨＥＶ）に適用される。なお、蓄電素子１０は、非水電解質二次電池には限定されず、非水電解質二次電池以外の二次電池であってもよいし、キャパシタであってもよい。
【００３０】
これらの図に示すように、蓄電素子１０は、容器１００と、正極端子２００と、負極端子３００とを備えている。また、容器１００の内方には、正極集電体１２０と、負極集電体１３０と、２つの電極体である第一電極体１４１及び第二電極体１４２と、第一絶縁シート４００と、第二絶縁シート５００（第二正極側シート５１０及び第二負極側シート５２０）とが収容されている。
【００３１】
また、蓄電素子１０の容器１００の内部には電解液（非水電解液）などの液体が封入されているが、当該液体の図示は省略する。なお、容器１００に封入される電解液としては、蓄電素子１０の性能を損なうものでなければその種類に特に制限はなく様々なものを選択することができる。
【００３２】
容器１００は、矩形筒状で底を備える本体１１１と、本体１１１の開口を閉塞する板状部材である蓋体１１０とで構成されている。また、容器１００は、第一電極体１４１及び第二電極体１４２、第一絶縁シート４００、第二絶縁シート５００等を内部に収容後、蓋体１１０と本体１１１とが溶接等されることにより、内部を密封することができるものとなっている。なお、蓋体１１０及び本体１１１の材質は、特に限定されないが、例えばステンレス鋼、アルミニウム、アルミニウム合金など溶接可能な金属であるのが好ましい。
【００３３】
また、容器１００の蓋体１１０には、注液部１１０ａが形成されている。ここで、注液部１１０ａは、電解液を注液するための注液口と、当該注液口を塞ぐ注液栓からなる。注液口は、蓄電素子１０の製造時に電解液を注液するための貫通孔である。つまり、蓄電素子１０の製造時に、注液口から容器１００内に電解液を注入し、注液栓を蓋体１１０に溶接して注液口を塞ぐことで、電解液が容器１００内に収容される。
【００３４】
第一電極体１４１及び第二電極体１４２は、並列に配置される２つの発電要素であり、ともに、正極集電体１２０及び負極集電体１３０と電気的に接続される。なお、第一電極体１４１と第二電極体１４２とは、同様の構成を有するため、以下では第一電極体１４１についての説明を中心に行い、第二電極体１４２についての説明は省略または簡略化する。
【００３５】
第一電極体１４１は、正極と負極とセパレータとを備え、電気を蓄えることができる発電要素である。正極は、アルミニウムやアルミニウム合金などからなる長尺帯状の金属箔である正極基材箔上に正極活物質層が形成されたものである。また、負極は、銅や銅合金などからなる長尺帯状の金属箔である負極基材箔上に負極活物質層が形成されたものである。また、セパレータは、樹脂からなる微多孔性のシートである。
【００３６】
ここで、正極活物質層に用いられる正極活物質、または負極活物質層に用いられる負極活物質としては、リチウムイオンを吸蔵放出可能な正極活物質または負極活物質であれば、適宜公知の材料を使用できる。
【００３７】
そして、第一電極体１４１は、負極と正極との間にセパレータが挟み込まれるように層状に配置されたものが巻き回されて形成されている。なお、同図では、第一電極体１４１の形状としては長円形状を示したが、円形状または楕円形状でもよい。また、第一電極体１４１の形状は巻回型に限らず、平板状極板を積層した形状でもよい。
【００３８】
ここで、第一電極体１４１及び第二電極体１４２は、正極と負極とが、セパレータを介して、巻回軸（本実施の形態ではＸ軸方向に平行な仮想軸）の方向に互いにずらして巻回されている。そして、正極及び負極は、それぞれのずらされた方向の端縁部に、活物質層が形成されていない部分（活物質層非形成部）を有している。
【００３９】
具体的には、図３の（ａ）に示すように、第一電極体１４１及び第二電極体１４２は、巻回軸方向の一端（Ｘ軸マイナス方向の端部）に、正極の活物質層非形成部が積層された正極側端部１４０ａを有し、巻回軸方向の他端（Ｘ軸プラス方向の端部）に、負極の活物質層非形成部が積層された負極側端部１４０ｂを有している。つまり、第一電極体１４１及び第二電極体１４２は、正極側の端部に正極側端部１４０ａを有し、負極側の端部に負極側端部１４０ｂを有している。
【００４０】
そして、第一電極体１４１及び第二電極体１４２は、正極側端部１４０ａが正極集電体１２０に接合され、負極側端部１４０ｂが負極集電体１３０に接合されることで、正極集電体１２０及び負極集電体１３０に接合される。
【００４１】
また、図３の（ｂ）に示すように、第一電極体１４１及び第二電極体１４２は、絶縁性のフィルムである絶縁フィルム１４３が周囲に巻きつけられて、束ねられる。ここで、絶縁フィルム１４３は、長方形状のシート状の樹脂製の部材であり、第一電極体１４１及び第二電極体１４２に巻きつけられて、巻き終わり部分を絶縁テープなどにより留められることで、固定される。なお、絶縁フィルム１４３の材質は限定されず、絶縁性を有するフィルムであればどのような材質で形成されていてもかまわない。
【００４２】
正極端子２００は、第一電極体１４１及び第二電極体１４２の正極に電気的に接続された電極端子であり、負極端子３００は、第一電極体１４１及び第二電極体１４２の負極に電気的に接続された電極端子である。つまり、正極端子２００及び負極端子３００は、第一電極体１４１及び第二電極体１４２に蓄えられている電気を蓄電素子１０の外部空間に導出し、また、第一電極体１４１及び第二電極体１４２に電気を蓄えるために蓄電素子１０の内部空間に電気を導入するための金属製の電極端子である。
【００４３】
また、正極端子２００及び負極端子３００は、第一電極体１４１及び第二電極体１４２の上方に配置された蓋体１１０に取り付けられている。具体的には、正極端子２００は、リベットが蓋体１１０の貫通孔と正極集電体１２０の貫通孔とに挿入されて、かしめられることにより、正極集電体１２０とともに蓋体１１０に固定される。また、負極端子３００は、リベットが蓋体１１０の貫通孔と負極集電体１３０の貫通孔とに挿入されて、かしめられることにより、負極集電体１３０とともに蓋体１１０に固定される。
【００４４】
なお、正極端子２００と蓋体１１０との間、正極集電体１２０と蓋体１１０との間、負極端子３００と蓋体１１０との間、及び負極集電体１３０と蓋体１１０との間には、パッキン等も配置されているが、同図では省略して図示している。
【００４５】
正極集電体１２０は、第一電極体１４１及び第二電極体１４２の正極側端部１４０ａと容器１００の本体１１１の側壁との間に配置され、正極端子２００と正極側端部１４０ａとに電気的に接続される導電性と剛性とを備えた部材である。なお、正極集電体１２０は、第一電極体１４１及び第二電極体１４２の正極基材箔と同様、アルミニウムまたはアルミニウム合金などで形成されている。
【００４６】
負極集電体１３０は、第一電極体１４１及び第二電極体１４２の負極側端部１４０ｂと容器１００の本体１１１の側壁との間に配置され、負極端子３００と負極側端部１４０ｂとに電気的に接続される導電性と剛性とを備えた部材である。なお、負極集電体１３０は、第一電極体１４１及び第二電極体１４２の負極基材箔と同様、銅または銅合金などで形成されている。
【００４７】
第一絶縁シート４００は、第一電極体１４１及び第二電極体１４２の正極と負極と底部とを覆う絶縁性のシートである。また、第二絶縁シート５００は、第一電極体１４１及び第二電極体１４２の正極と負極とをさらに覆う絶縁性のシートである。以下に、詳細に説明する。
【００４８】
図４は、本発明の実施の形態に係る第一絶縁シート４００の構成を示す斜視図である。また、図５は、本発明の実施の形態に係る第二絶縁シート５００の構成を示す斜視図である。
【００４９】
また、図６は、本発明の実施の形態に係る第一絶縁シート４００及び第二絶縁シート５００の蓄電素子１０内部における配置位置を示す平面図である。具体的には、同図は、第一絶縁シート４００と、第二絶縁シート５００とが第一電極体１４１及び第二電極体１４２に取り付けられた状態を、Ｙ軸方向マイナス側から見た場合の図である。
【００５０】
図４及び図６に示すように、第一絶縁シート４００は、第一電極体１４１及び第二電極体１４２の底部と正極と負極とを覆うように配置される、絶縁性を有する樹脂製のシートである。第一絶縁シート４００は、一枚の長方形状の絶縁シートを折りこむことで形成されている。なお、第一絶縁シート４００は、例えばポリプロピレン（ＰＰ）などによって形成されたフィルム状のシートであるが、第一絶縁シート４００の材質は限定されず、絶縁性を有するシートであればどのような材質で形成されていてもかまわない。
【００５１】
ここで、第一絶縁シート４００は、底部側シート４１０と、第一正極側シート４２０と、第一負極側シート４３０とを備えている。つまり、一枚の長方形状の絶縁シートを折りこむことで、底部側シート４１０と、第一正極側シート４２０と、第一負極側シート４３０とが形成される。なお、一枚の絶縁シートを折りこむことなく、底部側シート４１０と第一正極側シート４２０と第一負極側シート４３０とを有する形状が成形されてもよい。
【００５２】
底部側シート４１０は、第一正極側シート４２０と第一負極側シート４３０とに接続され、第一正極側シート４２０と第一負極側シート４３０とを繋ぐ絶縁性のシートであり、第一電極体１４１及び第二電極体１４２の底部（Ｚ軸方向マイナス側の端部）を覆っている。ここで、底部側シート４１０は、底面部４１１と、底部前面部４１２と、底部後面部４１３とを有している。
【００５３】
底面部４１１は、第一電極体１４１及び第二電極体１４２の底部の下方（Ｚ軸マイナス方向）に配置された平面状及び矩形状の部位である。また、底部前面部４１２は、第一電極体１４１の底部の前方（Ｙ軸マイナス方向）に配置された平面状及び矩形状の部位である。また、底部後面部４１３は、第二電極体１４２の底部の後方（Ｙ軸プラス方向）に配置された平面状及び矩形状の部位である。
【００５４】
つまり、底部側シート４１０は、底面部４１１と底部前面部４１２と底部後面部４１３とで、第一電極体１４１及び第二電極体１４２の底部を包み込むようにして、当該底部に対する絶縁性を確保している。
【００５５】
第一正極側シート４２０は、第一電極体１４１及び第二電極体１４２の正極側（Ｘ軸方向マイナス側）の端部である正極側端部１４０ａと、容器１００の正極端子２００側（Ｘ軸方向マイナス側）の面との間に配置される絶縁性のシートである。
【００５６】
具体的には、第一正極側シート４２０は、底部側シート４１０の正極端子２００側の端部から立ち上がるように配置されている。また、第一正極側シート４２０は、第一電極体１４１及び第二電極体１４２の正極側端部１４０ａを覆うように、正極側端部１４０ａと後述の第二絶縁シート５００の第二正極側シート５１０との間に配置される。ここで、第一正極側シート４２０は、第一正極側側面部４２１と、第一正極側前面部４２２と、第一正極側後面部４２３とを有している。
【００５７】
第一正極側側面部４２１は、正極側端部１４０ａの側方（Ｘ軸マイナス方向）に配置された平面状及び矩形状の部位である。また、第一正極側前面部４２２は、正極側端部１４０ａの前方（Ｙ軸マイナス方向）に配置された平面状及び矩形状の部位である。また、第一正極側後面部４２３は、正極側端部１４０ａの後方（Ｙ軸プラス方向）に配置された平面状及び矩形状の部位である。
【００５８】
つまり、第一正極側シート４２０は、第一正極側側面部４２１と第一正極側前面部４２２と第一正極側後面部４２３とで、第一電極体１４１及び第二電極体１４２の正極側端部１４０ａを包み込むようにして、正極側端部１４０ａに対する絶縁性を確保している。
【００５９】
第一負極側シート４３０は、第一電極体１４１及び第二電極体１４２の負極側（Ｘ軸方向プラス側）の端部である負極側端部１４０ｂと、容器１００の負極端子３００側（Ｘ軸方向プラス側）の面との間に配置される絶縁性のシートである。
【００６０】
具体的には、第一負極側シート４３０は、底部側シート４１０の負極端子３００側の端部から立ち上がるように配置されている。また、第一負極側シート４３０は、第一電極体１４１及び第二電極体１４２の負極側端部１４０ｂを覆うように、負極側端部１４０ｂと後述の第二絶縁シート５００の第二負極側シート５２０との間に配置される。ここで、第一負極側シート４３０は、第一負極側側面部４３１と、第一負極側前面部４３２と、第一負極側後面部４３３とを有している。
【００６１】
第一負極側側面部４３１は、負極側端部１４０ｂの側方（Ｘ軸プラス方向）に配置された平面状及び矩形状の部位である。また、第一負極側前面部４３２は、負極側端部１４０ｂの前方（Ｙ軸マイナス方向）に配置された平面状及び矩形状の部位である。また、第一負極側後面部４３３は、負極側端部１４０ｂの後方（Ｙ軸プラス方向）に配置された平面状及び矩形状の部位である。
【００６２】
つまり、第一負極側シート４３０は、第一負極側側面部４３１と第一負極側前面部４３２と第一負極側後面部４３３とで、第一電極体１４１及び第二電極体１４２の負極側端部１４０ｂを包み込むようにして、負極側端部１４０ｂに対する絶縁性を確保している。
【００６３】
また、第一正極側シート４２０及び第一負極側シート４３０のうちのいずれか一方は、他方よりも短くなるように形成されている。本実施の形態では、第一負極側シート４３０が、第一正極側シート４２０よりも短くなるように形成されている。
【００６４】
つまり、第一負極側側面部４３１、第一負極側前面部４３２及び第一負極側後面部４３３は、第一正極側側面部４２１、第一正極側前面部４２２及び第一正極側後面部４２３よりも、図４及び図６に示す長さＡだけ、上部（負極端子３００側、Ｚ軸方向プラス側の端部）が短くなるように（長手方向の長さが短くなるように）形成されている。
【００６５】
なお、第一正極側シート４２０の方が、第一負極側シート４３０よりも短くなるように形成されている構成でもかまわない。つまり、第一正極側側面部４２１、第一正極側前面部４２２及び第一正極側後面部４２３が、第一負極側側面部４３１、第一負極側前面部４３２及び第一負極側後面部４３３よりも、長さＡだけ、上部（正極端子２００側、Ｚ軸方向プラス側の端部）が短くなるように形成されている構成でもかまわない。
【００６６】
また、図５及び図６に示すように、第二絶縁シート５００は、第一電極体１４１及び第二電極体１４２の正極と負極とを覆うように配置される、絶縁性を有する樹脂製のシートである。なお、第二絶縁シート５００は、ポリフェニレンスルファイド（ＰＰＳ）等の高強度の破損しにくい材質によって形成された板状のシートであるのが好ましいが、第二絶縁シート５００の材質は限定されず、絶縁性を有するシートであればどのような材質で形成されていてもかまわない。ここで、第二絶縁シート５００は、第二正極側シート５１０と、第二負極側シート５２０とを備えている。
【００６７】
第二正極側シート５１０は、第一電極体１４１及び第二電極体１４２の正極側（Ｘ軸方向マイナス側）の端部である正極側端部１４０ａと、容器１００の正極端子２００側（Ｘ軸方向マイナス側）の面との間に配置される絶縁性のシートである。
【００６８】
具体的には、第二正極側シート５１０は、正極側端部１４０ａ及び第一正極側シート４２０を覆うように、第一正極側シート４２０と容器１００の正極端子２００側の面との間に配置される。ここで、第二正極側シート５１０は、第二正極側側面部５１１と、第二正極側前面部５１２と、第二正極側後面部５１３とを有している。
【００６９】
第二正極側側面部５１１は、第一正極側側面部４２１の側方（Ｘ軸マイナス方向）に配置された平面状及び矩形状の部位である。また、第二正極側前面部５１２は、第一正極側前面部４２２の前方（Ｙ軸マイナス方向）に配置された平面状及び矩形状の部位である。また、第二正極側後面部５１３は、第一正極側後面部４２３の後方（Ｙ軸プラス方向）に配置された平面状及び矩形状の部位である。
【００７０】
つまり、第二正極側シート５１０は、第二正極側側面部５１１と第二正極側前面部５１２と第二正極側後面部５１３とで、正極側端部１４０ａ及び第一正極側シート４２０を包み込むようにして、正極側端部１４０ａに対する絶縁性を確保している。
【００７１】
第二負極側シート５２０は、第一電極体１４１及び第二電極体１４２の負極側（Ｘ軸方向プラス側）の端部である負極側端部１４０ｂと、容器１００の負極端子３００側（Ｘ軸方向プラス側）の面との間に配置される絶縁性のシートである。
【００７２】
具体的には、第二負極側シート５２０は、負極側端部１４０ｂ及び第一負極側シート４３０を覆うように、第一負極側シート４３０と容器１００の負極端子３００側の面との間に配置される。ここで、第二負極側シート５２０は、第二負極側側面部５２１と、第二負極側前面部５２２と、第二負極側後面部５２３とを有している。
【００７３】
第二負極側側面部５２１は、第一負極側側面部４３１の側方（Ｘ軸プラス方向）に配置された平面状及び矩形状の部位である。また、第二負極側前面部５２２は、第一負極側前面部４３２の前方（Ｙ軸マイナス方向）に配置された平面状及び矩形状の部位である。また、第二負極側後面部５２３は、第一負極側後面部４３３の後方（Ｙ軸プラス方向）に配置された平面状及び矩形状の部位である。
【００７４】
つまり、第二負極側シート５２０は、第二負極側側面部５２１と第二負極側前面部５２２と第二負極側後面部５２３とで、負極側端部１４０ｂ及び第一負極側シート４３０を包み込むようにして、負極側端部１４０ｂに対する絶縁性を確保している。
【００７５】
なお、第二正極側シート５１０は、第二正極側前面部５１２及び第二正極側後面部５１３の少なくとも一方を有していない構成でもかまわない。また、第二負極側シート５２０は、第二負極側前面部５２２及び第二負極側後面部５２３の少なくとも一方を有していない構成でもかまわない。
【００７６】
次に、第一絶縁シート４００の蓄電素子１０内部における配置位置について、詳細に説明する。
【００７７】
図７は、本発明の実施の形態に係る第一絶縁シート４００の蓄電素子１０内部における配置位置を示す平面図である。具体的には、同図は、第一絶縁シート４００が第一電極体１４１及び第二電極体１４２に取り付けられた状態を、Ｙ軸方向マイナス側から見た場合の図である。
【００７８】
同図の（ａ）及び（ｂ）に示すように、第一電極体１４１及び第二電極体１４２に第一絶縁シート４００が取り付けられることで、第一負極側シート４３０に、電解液の通路４３４が形成される。つまり、通路４３４は、第一負極側シート４３０が短くなることで形成された空間である。
【００７９】
具体的には、第一負極側シート４３０は、第一電極体１４１及び第二電極体１４２の負極側端部１４０ｂが露出するように、上部（負極端子３００側、Ｚ軸方向プラス側の端部）が第一正極側シート４２０よりも長さＡだけ短く形成されている。つまり、第一負極側シート４３０は、上端が、蓋体１１０と負極集電体１３０との間に配置されたパッキン１３１から長さＡだけ離隔するように、短く形成されている。これにより、第一負極側シート４３０によって、電解液の通路４３４が形成される。
【００８０】
つまり、本体１１１に形成された注液部１１０ａから、電解液が本体１１１の内部に注液された場合に、当該電解液が通路４３４を通って第一電極体１４１及び第二電極体１４２へ浸透することができる。
【００８１】
また、第一正極側シート４２０は、第一電極体１４１及び第二電極体１４２の正極側端部１４０ａを覆うように形成されている。具体的には、第一正極側シート４２０は、上端が、蓋体１１０と正極集電体１２０との間に配置されたパッキン１２１の下端に接するように、配置されている。つまり、第一正極側シート４２０は、正極側端部１４０ａが露出しないように、パッキン１２１と離隔しない位置に配置されている。
【００８２】
なお、第一正極側シート４２０に、電解液の通路が形成されている構成でもかまわない。つまり、第一正極側シート４２０が短く形成されることで当該通路が形成され、正極側端部１４０ａが露出する構成でもかまわない。
【００８３】
このように、第一正極側シート４２０及び第一負極側シート４３０の少なくとも一方には、電解液の通路が形成されている。つまり、第一正極側シート４２０及び第一負極側シート４３０のうちのいずれか一方は、正極側端部１４０ａまたは負極側端部１４０ｂが露出するように、他方よりも短く形成されて当該通路である空間が形成されており、他方は、正極側端部１４０ａまたは負極側端部１４０ｂを覆うように形成されている。
【００８４】
次に、第二絶縁シート５００の蓄電素子１０内部における配置位置について、詳細に説明する。
【００８５】
図８は、本発明の実施の形態に係る第二絶縁シート５００の蓄電素子１０内部における配置位置を示す平面図である。具体的には、同図は、第二正極側シート５１０及び第二負極側シート５２０が、第一電極体１４１及び第二電極体１４２に取り付けられた状態を、Ｙ軸方向マイナス側から見た場合の図である。
【００８６】
同図に示すように、第二正極側シート５１０及び第二負極側シート５２０は、第一絶縁シート４００の第一正極側シート４２０及び第一負極側シート４３０を覆うように、第一電極体１４１及び第二電極体１４２に取り付けられる。
【００８７】
つまり、第二正極側シート５１０は、上端が、蓋体１１０と正極集電体１２０との間に配置されたパッキン１２１の下端に接するように、配置される。つまり、第二正極側シート５１０は、第一正極側シート４２０及び正極側端部１４０ａが露出しないように、パッキン１２１と離隔しない位置に配置される。
【００８８】
また、第二負極側シート５２０は、上端が、蓋体１１０と負極集電体１３０との間に配置されたパッキン１３１の下端に接するように、配置される。つまり、第二負極側シート５２０は、第一負極側シート４３０及び負極側端部１４０ｂが露出しないように、パッキン１３１と離隔しない位置に配置される。
【００８９】
なお、第二正極側シート５１０または第二負極側シート５２０に、電解液の通路が形成されている構成でもかまわない。つまり、第二正極側シート５１０または第二負極側シート５２０が短く形成されることで当該通路が形成され、正極側端部１４０ａまたは負極側端部１４０ｂが露出する構成でもかまわない。
【００９０】
このように、第二正極側シート５１０及び第二負極側シート５２０の少なくとも一方に、電解液の通路が形成されている構成でもかまわない。つまり、第二正極側シート５１０及び第二負極側シート５２０のうちのいずれか一方は、正極側端部１４０ａまたは負極側端部１４０ｂが露出するように、他方よりも短く形成されて当該通路である空間が形成されており、他方は、正極側端部１４０ａまたは負極側端部１４０ｂを覆うように形成されている構成でもかまわない。
【００９１】
以上のように、本発明の実施の形態に係る蓄電素子１０によれば、正極側シート（第一正極側シート４２０または第二正極側シート５１０）及び負極側シート（第一負極側シート４３０または第二負極側シート５２０）の少なくとも一方に、電解液の通路（例えば通路４３４）が形成されている。このため、蓄電素子１０によれば、電解液を注液する際に、電解液が当該通路を通って電極体（第一電極体１４１及び第二電極体１４２）へ浸透することで、当該電解液の電極体への浸透性を向上させることができる。
【００９２】
また、当該通路が形成されていることで、蓄電素子１０の初回充電時（予備充電時）に、電解液の分解によって発生するガスを電極体の外部へ放出させることができる。これらのことにより、蓄電素子１０の初期容量の安定化及び電極体の膨れを防止するなどの効果が期待できる。
【００９３】
また、蓄電素子１０に形成された電解液の通路は、正極側シート及び負極側シートのいずれか一方が短くなることで形成された空間である。このため、蓄電素子１０によれば、片方の絶縁シートの長さを短くすることで、容易に、電解液の通路を形成して、当該電解液の電極体への浸透性を向上させることができる。
【００９４】
また、蓄電素子１０に形成された電解液の通路は、正極側シート及び負極側シートのうちのいずれか一方の、電極体の正極または負極が露出するように形成された空間である。つまり、電極体の正極または負極が露出する部分を通って、電解液を電極体へ浸透させることができる。また、他方の絶縁シートは、電極体の正極または負極を覆うように形成されているため、絶縁性を確保することができる。
【００９５】
また、正極側に二枚の絶縁性のシートである第一正極側シート４２０及び第二正極側シート５１０が配置され、負極側にも二枚の絶縁性のシートである第一負極側シート４３０及び第二負極側シート５２０が配置されている。このため、いずれかのシートに電解液の通路が形成されていても、二重の絶縁性のシートが配置されているため、絶縁性を確保することができる。
【００９６】
なお、本発明は、このような蓄電素子１０として実現することができるだけでなく、蓄電素子１０が備える絶縁性のシート（第一正極側シート４２０、第一負極側シート４３０、第二正極側シート５１０または第二負極側シート５２０）としても実現することができる。
【００９７】
また、蓄電素子１０は、第二正極側シート５１０及び第二負極側シート５２０の一方または双方を備えていない構成であってもかまわない。また、第二正極側シート５１０または第二負極側シート５２０に電解液の通路が形成されている場合においては、蓄電素子１０は、第一絶縁シート４００を備えていない構成であってもかまわない。
【００９８】
つまり、蓄電素子１０は、正極側シートとして、正極側端部１４０ａと容器１００の正極端子２００側の面との間に配置される二枚の絶縁性のシートである第一正極側シート４２０及び第二正極側シート５１０のうちの少なくとも１つのシートを有している構成であればよい。また、蓄電素子１０は、負極側シートとして、負極側端部１４０ｂと容器１００の負極端子３００側の面との間に配置される二枚の絶縁性のシートである第一負極側シート４３０及び第二負極側シート５２０のうちの少なくとも１つのシートを有している構成であればよい。
【００９９】
（変形例１）
次に、上記実施の形態の変形例１について、説明する。図９は、本発明の実施の形態の変形例１に係る第一絶縁シート４０１の構成を示す斜視図である。
【０１００】
同図に示すように、第一絶縁シート４０１は、上記実施の形態の第一絶縁シート４００における第一負極側シート４３０に代えて、第一負極側シート４４０を備えている。なお、第一絶縁シート４０１が有する底部側シート４１０及び第一正極側シート４２０は、上記実施の形態の第一絶縁シート４００における底部側シート４１０及び第一正極側シート４２０と同様の構成を有するため、説明は省略する。
【０１０１】
第一負極側シート４４０は、第一負極側側面部４４１と、第一負極側前面部４４２と、第一負極側後面部４４３とを有している。ここで、第一負極側側面部４４１は、第一負極側前面部４４２及び第一負極側後面部４４３に比べて長さが短くなるように形成され、電解液の通路４４４が形成される。
【０１０２】
具体的には、第一負極側側面部４４１は、第一電極体１４１及び第二電極体１４２の負極側端部１４０ｂが露出するように、上部（負極端子３００側、Ｚ軸方向プラス側の端部）が第一負極側前面部４４２及び第一負極側後面部４４３よりも短く形成されている。また、第一負極側前面部４４２及び第一負極側後面部４４３は、負極側端部１４０ｂを覆うように形成されている。
【０１０３】
以上のように、本発明の実施の形態の変形例１に係る蓄電素子によれば、第一負極側側面部４４１が電解液の通路４４４を形成しているため、上記実施の形態と同様の効果を奏する。
【０１０４】
なお、第一負極側シート４４０は、第一負極側側面部４４１ではなく、第一負極側前面部４４２または第一負極側後面部４４３の長さが短くなるように形成されている構成でもかまわない。または、第一正極側シート４２０の長さが短くなるように形成されている構成でもかまわない。
【０１０５】
（変形例２）
次に、上記実施の形態の変形例２について、説明する。図１０は、本発明の実施の形態の変形例２に係る第一絶縁シート４０２の構成を示す斜視図である。
【０１０６】
同図に示すように、第一絶縁シート４０２は、上記実施の形態の第一絶縁シート４００における第一負極側シート４３０に代えて、第一負極側シート４５０を備えている。なお、第一絶縁シート４０２が有する底部側シート４１０及び第一正極側シート４２０は、上記実施の形態の第一絶縁シート４００における底部側シート４１０及び第一正極側シート４２０と同様の構成を有するため、説明は省略する。
【０１０７】
第一負極側シート４５０は、第一負極側側面部４５１と、第一負極側前面部４５２と、第一負極側後面部４５３とを有している。ここで、第一負極側側面部４５１には、貫通孔４５１ａが形成されている。そして、貫通孔４５１ａの内方に形成される空間が、電解液の通路４５４となる。なお、本変形例では、貫通孔４５１ａは円形状を有しているが、貫通孔４５１ａの形状は特に限定されない。
【０１０８】
また、第一負極側側面部４５１、第一負極側前面部４５２及び第一負極側後面部４５３の長さは、第一正極側シート４２０と同じ長さに形成されている。つまり、第一負極側シート４５０は、第一電極体１４１及び第二電極体１４２の負極側端部１４０ｂを覆うように形成され、また、貫通孔４５１ａにおいて、負極側端部１４０ｂが露出するように、形成されている。
【０１０９】
以上のように、本発明の実施の形態の変形例２に係る蓄電素子によれば、第一負極側側面部４５１に貫通孔４５１ａが形成され、電解液の通路４５４を形成しているため、上記実施の形態と同様の効果を奏する。特に、当該蓄電素子によれば、絶縁シートに貫通孔を形成することで、容易に、電解液の通路を形成して、当該電解液の電極体への浸透性を向上させることができる。
【０１１０】
なお、第一負極側シート４５０は、第一負極側側面部４５１ではなく、第一負極側前面部４５２または第一負極側後面部４５３に貫通孔が形成されている構成でもかまわない。または、第一負極側シート４５０ではなく、第一正極側シート４２０、第二正極側シート５１０または第二負極側シート５２０に貫通孔が形成されている構成でもかまわない。また、底部側シート４１０にも、貫通孔が形成されていることにしてもよい。
【０１１１】
（変形例３）
次に、上記実施の形態の変形例３について、説明する。図１１は、本発明の実施の形態の変形例３に係る第一絶縁シート４０３の構成を示す斜視図である。
【０１１２】
同図に示すように、第一絶縁シート４０３は、上記実施の形態の第一絶縁シート４００における第一負極側シート４３０に代えて、第一負極側シート４６０を備えている。なお、第一絶縁シート４０３が有する底部側シート４１０及び第一正極側シート４２０は、上記実施の形態の第一絶縁シート４００における底部側シート４１０及び第一正極側シート４２０と同様の構成を有するため、説明は省略する。
【０１１３】
第一負極側シート４６０は、第一負極側側面部４６１と、第一負極側前面部４６２と、第一負極側後面部４６３とを有している。ここで、第一負極側側面部４６１には、貫通孔４６１ａが形成されている。そして、貫通孔４６１ａの内方に形成される空間が、電解液の通路４６４となる。
【０１１４】
また、第一負極側側面部４６１は、貫通孔４６１ａを閉塞可能な閉塞部４６１ｂを有している。閉塞部４６１ｂは、第一負極側側面部４６１から外方（Ｘ軸プラス方向）へ突出した突出状の部位であり、第一負極側側面部４６１を切り込むことで形成されている。なお、閉塞部４６１ｂは、第一負極側側面部４６１から内方（Ｘ軸マイナス方向）へ突出していることにしてもよい。
【０１１５】
つまり、貫通孔４６１ａ及び閉塞部４６１ｂは、第一負極側側面部４６１を切り込むことで形成される。なお、本変形例では、貫通孔４６１ａ及び閉塞部４６１ｂは矩形状を有しているが、貫通孔４６１ａ及び閉塞部４６１ｂの形状は特に限定されない。
【０１１６】
また、第一負極側側面部４６１、第一負極側前面部４６２及び第一負極側後面部４６３の長さは、第一正極側シート４２０と同じ長さに形成されている。つまり、第一負極側シート４６０は、第一電極体１４１及び第二電極体１４２の負極側端部１４０ｂを覆うように形成され、また、貫通孔４６１ａにおいても、閉塞部４６１ｂによって負極側端部１４０ｂが露出しないように、形成されている。
【０１１７】
以上のように、本発明の実施の形態の変形例３に係る蓄電素子によれば、第一負極側側面部４６１に貫通孔４６１ａが形成され、電解液の通路４６４を形成しているため、上記実施の形態と同様の効果を奏する。
【０１１８】
特に、当該蓄電素子によれば、電解液の通路４６４としての貫通孔４６１ａを閉塞可能な閉塞部４６１ｂを有している。このため、絶縁シートに貫通孔が形成されていても、閉塞部によって貫通孔を塞ぐことができるため、絶縁性を確保することができる。
【０１１９】
また、第一負極側シート４６０を切り込むことで、貫通孔４６１ａ及び閉塞部４６１ｂが形成されるため、電解液の通路である貫通孔４６１ａと、絶縁性を確保するための閉塞部４６１ｂとを、容易に形成することができる。
【０１２０】
なお、第一負極側シート４６０は、第一負極側側面部４６１ではなく、第一負極側前面部４６２または第一負極側後面部４６３に貫通孔及び閉塞部が形成されている構成でもかまわない。または、第一負極側シート４６０ではなく、第一正極側シート４２０、第二正極側シート５１０または第二負極側シート５２０に貫通孔及び閉塞部が形成されている構成でもかまわない。また、底部側シート４１０にも、貫通孔及び閉塞部が形成されていることにしてもよい。
【０１２１】
（変形例４）
次に、上記実施の形態の変形例４について、説明する。図１２は、本発明の実施の形態の変形例４に係る第一絶縁シート４０４の構成を示す斜視図である。
【０１２２】
同図に示すように、第一絶縁シート４０４は、上記実施の形態の第一絶縁シート４００における第一負極側シート４３０に代えて、第一負極側シート４７０を備えている。なお、第一絶縁シート４０４が有する底部側シート４１０及び第一正極側シート４２０は、上記実施の形態の第一絶縁シート４００における底部側シート４１０及び第一正極側シート４２０と同様の構成を有するため、説明は省略する。
【０１２３】
第一負極側シート４７０は、第一負極側側面部４７１と、第一負極側前面部４７２と、第一負極側後面部４７３とを有している。そして、第一負極側側面部４７１には、中央部分に縦方向（Ｚ軸方向）に延びる折り目４７１ａが形成されている。そして、この折り目４７１ａによって形成される空間が、電解液の通路４７４となる。
【０１２４】
また、第一負極側側面部４７１、第一負極側前面部４７２及び第一負極側後面部４７３の長さは、第一正極側シート４２０と同じ長さに形成されている。つまり、第一負極側シート４７０は、第一電極体１４１及び第二電極体１４２の負極側端部１４０ｂを覆うように形成されている。
【０１２５】
以上のように、本発明の実施の形態の変形例４に係る蓄電素子によれば、第一負極側側面部４７１には、折り目４７１ａが形成され、電解液の通路４７４を形成しているため、上記実施の形態と同様の効果を奏する。特に、当該電解液の通路は、第一負極側シート４７０の折り目によって形成された空間であるため、絶縁シートに折り目を形成することで、容易に、電解液の通路を形成して、当該電解液の電極体への浸透性を向上させることができる。
【０１２６】
なお、折り目４７１ａは、第一負極側側面部４７１の中央部分に形成された縦方向（Ｚ軸方向）に延びる折り目であるが、折り目４７１ａは、第一負極側側面部４７１の中央部分ではなく、端部に形成されていてもよい。また、第一負極側シート４７０に、横方向（Ｘ軸及びＹ軸方向）または斜め方向に延びる折り目が形成されていることにしてもよい。また、折り目は、１つではなくて、複数の折り目が形成されていることにしてもよい。
【０１２７】
また、第一負極側シート４７０は、第一負極側側面部４７１ではなく、第一負極側前面部４７２または第一負極側後面部４７３に折り目が形成されている構成でもかまわない。または、第一負極側シート４７０ではなく、第一正極側シート４２０に折り目が形成されている構成でもかまわない。また、底部側シート４１０にも、折り目が形成されていることにしてもよい。
【０１２８】
（変形例５）
次に、上記実施の形態の変形例５について、説明する。図１３、図１４Ａ及び図１４Ｂは、本発明の実施の形態の変形例５に係る第二負極側シートの構成を示す斜視図である。
【０１２９】
図１３に示すように、第二負極側シート５３０は、第二負極側側面部５３１と、第二負極側前面部５３２と、第二負極側後面部５３３とを有している。そして、第二負極側側面部５３１には、中央部分に縦方向（Ｚ軸方向）に延びる折り目５３１ａが形成されている。そして、上記変形例４と同様、この折り目５３１ａによって形成される空間が、電解液の通路となる。
【０１３０】
なお、第二負極側前面部５３２及び第二負極側後面部５３３は、上記実施の形態の第二負極側シート５２０における第二負極側前面部５２２及び第二負極側後面部５２３と同様の構成を有するため、説明は省略する。
【０１３１】
また、図１４Ａに示すように、第二負極側シート５４０は、中央部分に縦方向（Ｚ軸方向）に延びる折り目５４１ａが形成された第二負極側側面部５４１を有している。つまり、第二負極側シート５４０は、第二負極側前面部及び第二負極側後面部は有していない。そして、この折り目５４１ａによって形成される空間が、電解液の通路となる。
【０１３２】
また、図１４Ｂに示すように、第二負極側シート５５０は、横方向（Ｙ軸方向）に延びる折り目５５１ａ〜５５１ｃが形成された第二負極側側面部５５１を有している。そして、この折り目５５１ａ〜５５１ｃによって形成される空間が、電解液の通路となる。
【０１３３】
なお、図１４Ａ及び図１４Ｂでは、折り目が形成されている状態を明確に示すために、第二負極側シート５４０及び第二負極側シート５５０に厚みをつけて図示しているが、第二負極側シート５４０及び第二負極側シート５５０は、上記実施の形態または他の変形例における第二負極側シートと同様の厚みを有している。
【０１３４】
以上のように、本発明の実施の形態の変形例５に係る蓄電素子によれば、第二負極側側面部には、折り目が形成され、電解液の通路を形成しているため、上記実施の形態と同様の効果を奏する。特に、当該電解液の通路は、第二負極側シートの折り目によって形成された空間であるため、絶縁シートに折り目を形成することで、容易に、電解液の通路を形成して、当該電解液の電極体への浸透性を向上させることができる。
【０１３５】
なお、当該折り目は、第二負極側側面部の縦方向または横方向に延びる折り目であるが、斜め方向に延びる折り目であってもよい。また、折り目は、いくつ形成されていてもかまわない。また、第二負極側シートではなく、第二正極側シート５１０に折り目が形成されている構成でもかまわない。
【０１３６】
以上、本発明の実施の形態及びその変形例に係る蓄電素子について説明したが、本発明は、上記実施の形態及びその変形例に限定されるものではない。つまり、今回開示された実施の形態及びその変形例は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【０１３７】
例えば、上記実施の形態及びその変形例では、蓄電素子は、２つの電極体（第一電極体１４１及び第二電極体１４２）を備えていることとしたが、電極体は１つであってもよいし、３つ以上の電極体を備えていることにしてもよい。
【０１３８】
また、上記実施の形態及びその変形例では、蓄電素子は、２重の絶縁シート（第一絶縁シート４００及び第二絶縁シート５００）を備えていることとしたが、絶縁シートは１重であってもよいし、３重以上の絶縁シートを備えていることにしてもよい。
【０１３９】
また、上記実施の形態及び上記変形例を任意に組み合わせて構築される形態も、本発明の範囲内に含まれる。例えば、上記変形例１〜４に、変形例５に係る変形を施したりしてもかまわない。
【産業上の利用可能性】
【０１４０】
本発明は、リチウムイオン二次電池などの蓄電素子等に適用できる。
【符号の説明】
【０１４１】
１０  蓄電素子
１００  容器
１１０  蓋体
１１０ａ  注液部
１１１  本体
１２０  正極集電体
１２１、１３１  パッキン
１３０  負極集電体
１４０ａ  正極側端部
１４０ｂ  負極側端部
１４１  第一電極体
１４２  第二電極体
１４３  絶縁フィルム
２００  正極端子
３００  負極端子
４００、４０１、４０２、４０３、４０４  第一絶縁シート
４１０  底部側シート
４１１  底面部
４１２  底部前面部
４１３  底部後面部
４２０  第一正極側シート
４２１  第一正極側側面部
４２２  第一正極側前面部
４２３  第一正極側後面部
４３０、４４０、４５０、４６０、４７０  第一負極側シート
４３１、４４１、４５１、４６１、４７１  第一負極側側面部
４３２、４４２、４５２、４６２、４７２  第一負極側前面部
４３３、４４３、４５３、４６３、４７３  第一負極側後面部
４３４、４４４、４５４、４６４、４７４  通路
４５１ａ、４６１ａ  貫通孔
４６１ｂ  閉塞部
４７１ａ、５３１ａ、５４１ａ、５５１ａ、５５１ｂ、５５１ｃ  折り目
５００  第二絶縁シート
５１０  第二正極側シート
５１１  第二正極側側面部
５１２  第二正極側前面部
５１３  第二正極側後面部
５２０、５３０、５４０、５５０  第二負極側シート
５２１、５３１、５４１、５５１  第二負極側側面部
５２２、５３２  第二負極側前面部
５２３、５３３  第二負極側後面部
【図１】
2015069723.tif 000003
【図２】
2015069723.tif 000004
【図３】
2015069723.tif 000005
【図４】
2015069723.tif 000006
【図５】
2015069723.tif 000007
【図６】
2015069723.tif 000008
【図７】
2015069723.tif 000009
【図８】
2015069723.tif 000010
【図９】
2015069723.tif 000011
【図１０】
2015069723.tif 000012
【図１１】
2015069723.tif 000013
【図１２】
2015069723.tif 000014
【図１３】
2015069723.tif 000015
【図１４Ａ】
2015069723.tif 000016
【図１４Ｂ】
2015069723.tif 000017